(57)【要約】【課題】  防除効率を向上させることができるようにする。【解決手段】  本発明の火炎式防除機１は、圃場Ｈを走行可能に支持された機体２に、圃場Ｈの表面に向けて火炎を放射するバーナー５と、圃場Ｈを耕耘する耕耘刃６とが機体進行方向に並んで搭載されている。そして、耕耘刃６は、バーナー５から機体進行方向前方に間隔をおいて配設されたことを特徴としている。また、耕耘刃６は、圃場Ｈを耕耘するように下降した耕耘状態ＳＣａと、圃場Ｈを耕耘しないように上昇した退避状態ＳＣｂとの間で昇降可能に設けられている。【選択図】      図１
2006271246.tif 000002
【特許請求の範囲】
【請求項１】
圃場を走行可能に支持された機体に、圃場の表面に向けて火炎を放射するバーナーと、圃場を耕耘する耕耘手段とが機体進行方向に並んで搭載された火炎式防除機において、
前記耕耘手段は、前記バーナーから前記機体進行方向前方に間隔をおいて配設されたことを特徴とする火炎式防除機。
【請求項２】
前記耕耘手段は、圃場を耕耘するように下降した耕耘状態と、圃場を耕耘しないように上昇した退避状態との間で昇降可能に設けられた請求項１記載の火炎式防除機。
【請求項３】
前記耕耘手段における前記機体進行方向前方に配設された第二のバーナーを備えた請求項１又は２記載の火炎式防除機。
【発明の詳細な説明】
【技術分野】
【０００１】
本発明は、圃場における病害虫や雑草及びその種子等の生物生産に有害な生物（以下、「有害生物」という。）を火炎により防除する火炎式防除機に関するものである。
【背景技術】
【０００２】
従来の火炎式防除機として、特許文献１に記載された耕起焼土機を例示する。この耕起焼土機は、図５に示すように、先端に、ラインプレート８２と耕土刃８３とを有し、後端にハンドル８４を有する装置本体８１を設け、該本体の中間部付近には車輪８５を設け、車輪の両側には、着脱自在のホイールガードプレート８６をそれぞれ設け、耕土刃８３の両側には、必要に応じて、ファイアーガードプレート８７をそれぞれ設けるとともに、バーナー８８を臨ませて設け、該バーナーの燃料を入れたタンク８９を設けたことを特徴としている。図中、矢印Ｆは機体進行方向前側を指し示している。
【０００３】
また、自走するトラクタに装着するタイプの火炎式防除機として、特許文献２に記載された火炎除草装置９０を例示する。この装置は、図６に示すように、トラクタ９９の機体に装架するロータリー耕耘装置９１のロータリーカバーの上面側に、バーナー装置９２を装架し、それのバーナー本体の吐炎筒９３から吐出する火炎を囲う燃焼室９４を、倒立する腕状に形成して、それの前端側をロータリーカバー９５の後縁部に連結して、そのロータリーカバー９５のリヤカバー９６の後方に配設している。
【０００４】
【特許文献１】特開２００４−２４０１９号公報
【特許文献２】特開平１０−７５７０４号公報
【発明の開示】
【発明が解決しようとする課題】
【０００５】
ところが、特許文献１記載の耕起焼土機においては、耕土刃８３のすぐ後側に向けてバーナー８８が設置されているので、耕土刃８３で耕起されている最中の静止していない土に火炎が放射されることになり、土が十分に加熱されず、防除効率が悪いという課題がある。
【０００６】
また、火炎による防除は圃場の表面に存在する有害生物に特に有効であり、有害生物も圃場の表面に近いほど存在率が高い。しかし、特許文献１記載の耕起焼土機においては、火炎による防除直前に、耕土刃８３で耕起するようになっているので、圃場の表面近くに多く存在する有害生物を火炎の熱が伝わりにくい土中に潜らせてしまうことになり、防除効率が低下するという課題がある。
【０００７】
そして、特許文献２記載の火炎除草装置９０においても、特許文献１記載の耕起焼土機と同様に上述した課題がある。
【課題を解決するための手段】
【０００８】
上記課題を解決するために、本発明の火炎式防除機は、
圃場を走行可能に支持された機体に、圃場の表面に向けて火炎を放射するバーナーと、圃場を耕耘する耕耘手段とが機体進行方向に並んで搭載された火炎式防除機において、
前記耕耘手段は、前記バーナーから前記機体進行方向前方に間隔をおいて配設されたことを特徴としている。
【０００９】
この構成によれば、前記耕耘手段は、前記バーナーから前記機体進行方向前方に間隔をおいて配設されているので、耕起後、圃場表面に静止した土に対して火炎を放射することができ、土を十分に加熱することができ、防除効率を向上させることができる。
【００１０】
前記火炎式防除機においては、前記耕耘手段は、圃場を耕耘するように下降した耕耘状態と、圃場を耕耘しないように上昇した退避状態との間で昇降可能に設けられている。
【００１１】
この構成によれば、前記耕耘手段は昇降可能に設けられているので、適宜、圃場を耕耘せずに防除したり、耕耘してから防除したりすることができる。例えば、第１回目の防除時に前記耕耘手段を退避状態にすることにより耕起していない圃場表面を火炎で防除し、続く第２回目の防除時に前記耕耘手段を耕耘状態にすることにより耕起した圃場表面を火炎で防除することができる。これにより、第１回目の防除時に有害生物の存在率が高い圃場表面を確実に防除し、それに続く第２回目の防除時に圃場の土中に潜んでいる残りの有害生物を耕起により圃場表面付近に移動させて防除することができる。
【００１２】
前記火炎式防除機においては、前記耕耘手段における前記機体進行方向前方に配設された第二のバーナーを備えた態様を例示する。
【００１３】
この構成によれば、まず、耕起していない圃場表面を前記第二のバーナーの火炎で防除し、その防除し終わった圃場を耕耘手段により耕起し、その耕起し終わった圃場表面を前記バーナーの火炎で防除することができる。これにより、１回の防除作業により、前記第二のバーナーにより有害生物の存在率が高い圃場表面を確実に防除するとともに、圃場の土中に潜んでいる残りの有害生物を前記耕耘手段により圃場表面に移動させて前記バーナーで防除することができ、作業効率を向上させることができる。
【発明の効果】
【００１４】
本発明に係る火炎式防除機によれば、防除効率を向上させることができるという優れた効果を奏する。
【発明を実施するための最良の形態】
【００１５】
図１〜図３は本発明を具体化した第一実施形態の火炎式防除機１を示している。この火炎式防除機１は、圃場Ｈを走行可能に支持された機体２に、燃料タンク３と、該燃料タンク３に燃料ホース４を介して接続された、圃場Ｈの表面に向けて火炎を放射する複数のバーナー５と、圃場Ｈを耕耘する耕耘手段としての複数の耕耘刃６とが搭載されている。なお、各図において、矢印Ｆは機体進行方向前側を指し示している。
【００１６】
機体２は、前後に延びる左右一対の側枠片１０ａ及び左右に延びる３本の横枠片１０ｂにより矩形枠状に形成された枠フレーム１０と、該枠フレーム１０の四隅からそれぞれ下方に延びる脚部１１と、機体前側の両脚部１１にそれぞれ回転自在に軸支された前輪１２と、機体後側の両脚部１１にそれぞれ回転自在に軸支された後輪１３と、枠フレーム１０の前端側から前方へ突設された手持ちハンドル１４とを備えている。手持ちハンドル１４の基端側は枠フレーム１０に対して上下の回動位置調節可能に取り付けられている。
【００１７】
燃料タンク３は、機体２の上側において、バーナー５の熱で加熱されないようにバーナー５から離して配設されている。燃料タンク３には、ＬＰガスや圧縮空気により加圧された状態の灯油等の燃料を入れるようになっている。
【００１８】
複数（本例では５つ）のバーナー５は、機体後側において機体左右方向に列設されており、図１〜図３に実線で示すように圃場表面に向けて火炎を放射する防除状態ＳＢａと、図３に二点鎖線で示すように着火容易となるように機体後方に向けて火炎を放射する準備状態ＳＢｂとの間で昇降可能に、バーナー昇降支持部１６によって支持されている。バーナー昇降支持部１６は、機体後側における左右両側にそれぞれ回動自在に支持された回動アーム１７と、該両回動アーム１７の先端部を連結するバーナー取付フレーム１８と、回動アーム１７における回動軸１７ａに取り付けられたバーナー位置操作レバー１９と、準備状態ＳＢｂを保持するようにバーナー位置操作レバー１９を係止する係止部材２０とを備えている。バーナー取付フレーム１８には、その長さ方向（左右方向）に等間隔をおいて複数のバーナー５が高さ調節可能に列設されており、本例では圃場Ｈの幅約１ｍに渡って火炎を放射することができるようになっている。そして、複数のバーナー５は、バーナー位置操作レバー１９を係止部材２０に係止していないときは自重及びバーナー位置操作レバー１９の重量により防除状態ＳＢａになるようになっている。
【００１９】
複数の耕耘刃６は、バーナー５から機体進行方向前方に間隔をおいて配設されており、図１に示すように圃場Ｈを耕耘するように下降した耕耘状態ＳＣａと、図３に示すように圃場Ｈを耕耘しないように上昇した退避状態ＳＣｂとの間で昇降可能に、耕耘手段昇降支持部２２によって支持されている。耕耘手段昇降支持部２２は、機体２の前後方向略中央部における左右両側にそれぞれ下方へ突設された吊下フレーム２３と、該両吊下フレーム２３の下端部において、両端側がそれぞれ左右方向に延びる支軸２４を介して回動可能に支持され耕耘刃取付フレーム２５と、該耕耘刃取付フレーム２５に取り付けられた耕耘刃位置操作レバー２６と、退避状態ＳＣｂを保持するように耕耘刃位置操作レバー２６を係止する係止部材２７とを備えている。吊下フレーム２３は、回転ハンドル２８を回すと、その回転方向に応じて下方への突出長さを調節可能に構成されており、これにより耕耘刃６の圃場Ｈへの進入深さが調節可能になっている。耕耘刃取付フレーム２５には、その長さ方向（左右方向）に適宜間隔をおいて複数の耕耘刃６が列設されており、本例では圃場Ｈの幅約１ｍ（複数のバーナー５が火炎を放射する幅と同様の幅）に渡って圃場Ｈを耕耘することができるようになっている。そして、複数の耕耘刃６は、耕耘刃位置操作レバー２６を係止部材２７に係止していないときは、自重及び耕耘刃位置操作レバー２６の重量により耕耘状態ＳＣａになるようになっている。
【００２０】
次に、この火炎式防除機１の使用方法について説明する。まず、図３に示すように耕耘刃６を退避状態ＳＣｂにするとともに、同図に二点鎖線で示すようにバーナー５を準備状態ＳＢｂにする。この状態でバーナー５を点火する。次いで、同図に実線で示すようにバーナー５を防除状態ＳＢａにし、作業者は手持ちハンドル１４を持って火炎式防除機１をその機体前方へ引き歩くことにより、第１回目の防除として、耕耘していない圃場Ｈの表面全体を火炎により防除する。次に、図１に示すように耕耘刃６を耕耘状態ＳＣａにし、作業者は手持ちハンドル１４を持って火炎式防除機１をその機体前方へ引き歩くことにより、第２回目の防除として、圃場Ｈを耕耘刃６で耕耘するとともに、耕耘済みの圃場Ｈの表面を火炎により防除する。
【００２１】
以上のように構成された本例の火炎式防除機１によれば、複数の耕耘刃６は、バーナー５から機体進行方向前方に間隔をおいて配設されているので、耕起後、圃場表面に静止した土に対して火炎を放射することができ、土に十分に熱を伝達することができ、防除効率を向上させることができる。
【００２２】
また、耕耘手段としての耕耘刃６は昇降可能に設けられているので、適宜、圃場Ｈを耕耘せずに防除したり、耕耘してから防除したりすることができる。このため、前述したように、第１回目の防除時に耕耘刃６を退避状態ＳＣｂにすることにより耕起していない圃場表面を火炎で防除し、続く第２回目の防除時に耕耘刃６を耕耘状態ＳＣａにすることにより耕起した圃場表面を火炎で防除することができる。これにより、第１回目の防除時に有害生物の存在率が高い圃場表面を確実に防除し、それに続く第２回目の防除時に圃場Ｈの土中に潜んでいる残りの有害生物を耕起により圃場表面付近に移動させて防除することができる。
【００２３】
次に、図４は本発明を具体化した第二実施形態を示している。この火炎式防除機４１は、以下に示す点において、主に第一実施形態と相違している。従って、同実施形態と共通する部分については、同一符号を付することにより重複説明を省く。
【００２４】
本例の火炎式防除機４１は、テーラー等の小型管理機やトラクタ等の駆動・牽引手段４２により駆動・牽引されるアタッチ用に構成された機体４３を備えており、該機体４３の後部は車輪４７により走行自在に支持されている。機体４３には、燃料タンク３と、該燃料タンク３に燃料ホース４を介して接続された第一の複数のバーナー５ａ及び第二の複数のバーナー５ｂと、圃場Ｈを耕耘する耕耘手段４４とが搭載されている。
【００２５】
第一の複数のバーナー５ａは、耕耘手段４４の後方（機体進行方向後方）において、左右方向に等間隔をおいて列設されている。また、第二の複数のバーナー５ｂは、耕耘手段４４の前方（機体進行方向前方）において、左右方向に等間隔をおいて列設されている。
【００２６】
耕耘手段４４は、駆動・牽引手段４２からユニバーサルジョイント４５を介して入力される駆動力により駆動されるロータリー爪４６を備えている。このロータリー爪４６は、第一の複数のバーナー５ａから機体進行方向前方に間隔をおいて配設されている。
【００２７】
本例の火炎式防除機４１によれば、第一実施形態と同様の効果に加え、次の効果を得ることができる。すなわち、まず、耕起していない圃場表面を第二のバーナー５ｂの火炎で防除し、その防除し終わった圃場Ｈを耕耘手段４４により耕起し、その耕起し終わった圃場表面を第一のバーナー５ａの火炎で防除することができる。これにより、１回の防除作業により、第二のバーナー５ｂにより有害生物の存在率が高い圃場表面を確実に防除するとともに、圃場Ｈの土中に潜んでいる残りの有害生物を耕耘手段４４による耕起により圃場表面に移動させて第一のバーナー５ａで防除することができ、作業効率を向上させることができる。
【００２８】
なお、本発明は前記実施形態に限定されるものではなく、例えば以下のように、発明の趣旨から逸脱しない範囲で適宜変更して具体化することもできる。
（１）第一実施形態における機体２又は第二実施形態における機体４３を自走式に構成すること。
（２）バーナー５の構造やその燃料を適宜変更すること。
（３）バーナー５や耕耘手段６を昇降可能に支持する手段の構造や支持方式を適宜変更すること。
（４）機体２，４３におけるバーナー５の機体進行方向後方に水の噴霧手段又は散布手段を設け、機体２，４３の進行にともなって、火炎により高温に加熱された土に対し水を噴霧又は散布するように構成すること。これにより、水蒸気を発生させ、火炎による防除が及ばない深さの土までをも該蒸気により防除することが可能になる。このとき、機体２，４３における前記噴霧手段又は散布手段の機体進行方向後方に圃場表面を覆うカバーを設け、機体２，４３の進行にともなって、水を噴霧又は散布した部位を該カバーで覆うようにすることが好ましい。これにより蒸気を土中に閉じこめることができ、防除効率を向上させることができる。
【図面の簡単な説明】
【００２９】
【図１】本発明を具体化した第一実施形態に係る火炎式防除機（耕耘刃は耕耘状態）の側面図である。
【図２】同火炎式防除機の平面図である。
【図３】同火炎式防除機（耕耘刃は退避状態）の側面図である。
【図４】本発明を具体化した第二実施形態に係る火炎式防除機の側面図である。
【図５】従来の火炎式防除機の側面図である。
【図６】従来の別の火炎式防除機の側面図である。
【符号の説明】
【００３０】
１    火炎式防除機
２    機体
３    燃料タンク
４    燃料ホース
５    バーナー
６    耕耘刃
１２    前輪
１３    後輪
１６    バーナー昇降支持部
２２    耕耘手段昇降支持部
４１    火炎式防除機
４２    駆動・牽引手段
４３    機体
４４    耕耘手段
４６    ロータリー爪
Ｈ      圃場
ＳＢａ  防除状態
ＳＢｂ  準備状態
ＳＣａ  耕耘状態
ＳＣｂ  退避状態
【図１】
2006271246.tif 000003
【図２】
2006271246.tif 000004
【図３】
2006271246.tif 000005
【図４】
2006271246.tif 000006
【図５】
2006271246.tif 000007
【図６】
2006271246.tif 000008